(57)【要約】【課題】  従来の緊張機のようにドラムに設けた貫通孔にワイヤーを挿通して引っ掛ける構造では、貫通孔のエッジがかなり鋭利になりワイヤーの被覆が破断しやすくなる。また、巻き取り時には貫通孔に挿通したワイヤーの余剰部分も本体内部で回転し、余剰部分が緊張装置のガイドローラ等に引っ掛かりやすくなる。このため、ドラムの周辺にはガイドローラ等を設けることができず、ワイヤーの張力がドラムに直接影響する。【解決手段】  高所作業における作業者の落下防止用安全帯のフックを係合させるワイヤロープを張設するための緊張装置において、本体一側に構造物に係止する本体フックを設け、本体側面にワイヤロープの巻取駆動部を有し、該巻取駆動部によって回転駆動され逆回転防止装置を備えたワイヤロープを巻き取るドラムとによって構成したものであって、該ドラムは、ワイヤロープの端部を周面から内部を通って本体側面に突出させる開口部を回転軸に設けた。【選択図】        図２
2011080513.tif 000002
【特許請求の範囲】
【請求項１】
高所作業における作業者の落下防止用安全帯のフックを係合させるワイヤロープを張設するための緊張装置において、本体一側に構造物に係止する本体フックを設け、本体側面にワイヤロープの巻取駆動部を有し、該巻取駆動部によって回転駆動され逆回転防止装置を備えたワイヤロープを巻き取るドラムとによって構成したものであって、該ドラムは、ワイヤロープの端部を周面から内部を通って本体側面に突出させる開口部を回転軸に設けたことを特徴とするワイヤロープ緊張装置。
【請求項２】
ドラムは、周面を複数の周面構成部材で構成した請求項１記載のワイヤロープ緊張装置。
【発明の詳細な説明】
【技術分野】
【０００１】
本発明は、建築現場における高所作業に際し、落下防止用安全帯のフックを掛けるためのワイヤロープを緊張させる緊張装置の改良に関するものである。
【背景技術】
【０００２】
建築現場における高所作業においては、作業者に落下防止用安全帯の装着が義務づけられている。落下防止用安全帯を装着した作業者の作業性を高めるため、支柱間にワイヤロープを張って、これに落下防止用安全帯のフックを引っ掛けるようにすることが一般的に行われている。
【０００３】
支柱間に張るワイヤロープは緊張させておく必要があるため、ワイヤロープは緊張装置を介して張られている。緊張装置としては特許文献１に示す構造のものなど種々のものがある。特許文献１に示した緊張機は、合成樹脂被覆ワイヤーを緊張させることを目的とするもので、ワイヤーをドラムに巻き取ることで緊張させている。ドラムにはラチェットホイールが設けられ、巻き戻し防止が図られている。
【先行技術文献】
【特許文献】
【０００４】
【特許文献１】特開２０００−２８３２４７
【発明の概要】
【発明が解決しようとする課題】
【０００５】
合成樹脂被覆ワイヤーは、金属製のワイヤーを合成樹脂で被覆することにより、錆などに対する耐候性を向上させたり、安全帯のフックの滑りをよくするなどの利点がある。ところが、合成樹脂被覆ワイヤーを緊張装置で緊張させると合成樹脂の被覆が破断しやすくなる問題があった。これは、主に緊張装置の鋭利な部分で被覆部材を引っ掛けて緊張させていることに原因があると考えられ、耐候性の低下のみならず緊張装置による巻き始めの引っかかりが悪くなり、作業性の低下に繋がる要因となっていた。
【０００６】
特に、特許文献１に示した緊張機のようにドラムに設けた貫通孔にワイヤーを挿通して引っ掛ける構造では、貫通孔のエッジがかなり鋭利になることと、巻き取り時には貫通孔に挿通したワイヤーの余剰部分も回転してくることから、その余剰部分が緊張装置のガイドローラ等に引っ掛かりやすくなる。このため、ドラムの周辺にはガイドローラ等を設けることができず、緊張装置本体の剛性が低下する欠点があった。
【課題を解決するための手段】
【０００７】
そこで本発明者は上記課題に鑑み鋭意研究した結果、本発明を成し得たものであり、その特徴とするところは、高所作業における作業者の落下防止用安全帯のフックを係合させるワイヤロープを張設するための緊張装置において、本体一側に構造物に係止する本体フックを設け、本体側面にワイヤロープの巻取駆動部を有し、該巻取駆動部によって回転駆動され逆回転防止装置を備えたワイヤロープを巻き取るドラムとによって構成したものであって、該ドラムは、ワイヤロープの端部を周面から内部を通って本体側面に突出させる開口部を回転軸に設けたことにある。
【０００８】
本明細書中でいう「本体」とは、支柱などの構造物に直接または間接的に引っ掛ける本体フックを有し、内部にワイヤロープを巻き取るためのドラムを備えたものをいう。ドラムは、本体側面に設けた巻取駆動部をラチェットレンチなどで回転させる。ワイヤロープを巻き取って緊張させるときにドラムが戻らないように例えばラチェットギアやワンウェイクラッチなどの逆回転防止装置を設ける。
【０００９】
本発明においては、ドラムの構造としてワイヤロープの端部を周面から内部を通って本体側面に突出させる開口部を回転軸に設ける。これは、ワイヤロープの端部を本体内部に存在させないようにし、ワイヤロープを巻き取るときにワイヤロープのドラムに挿通した部分がドラムの回転に伴って本体内部で移動しないようにするためである。
【００１０】
ドラムの回転駆動は、本体側面に設けた巻取駆動部で直接回転させてもよいが、ギアなどを介して巻取駆動部のトルクを小さくして作業性を高めるのが好ましい。また、ワイヤロープの端部を挿通させるドラム周面の挿通部は、できるだけ滑らかにしてワイヤロープに傷が付かないようにする。特に、本発明ではワイヤロープをドラムの周面からその軸方向に挿通させるため、周面には軸方向に幅のある挿通部にすることにより、挿通しやすくすることができる。例えば、ドラムの周面を構成する円筒の軸方向にスリットを設けたり、複数のパイプや棒材などの周面構成部材で周面を構成する。ドラムの周面を周面構成部材で構成したり挿通するスリットを複数設けることで、従来のようにワイヤロープの端部を挿通させる貫通孔を所定の位置に合わせる必要がなくなる。
【００１１】
ワイヤロープの端部を本体側面に突き出させる構造とするため、本発明ではドラムの回転軸を円筒にして端部の開口部から突き出すようにしている。このため、開口部の端部側を大径にした円錐状にしてワイヤロープの端部を通しやすくすることができる。また、ドラムの内部にワイヤロープの端部を通すためのガイドを設けてもよい。
【発明の効果】
【００１２】
本発明に係るワイヤロープ緊張装置は、ワイヤロープの端部をドラムの周面から回転軸端部の開口部に通して本体側面から出す構造にしたことにより、ワイヤロープ緊張装置本体内部にワイヤロープの端部が存在しないため、ワイヤロープの巻き取りを容易確実にすることができる。このことは、逆に緊張させたワイヤロープを外す場合にも有効となる。また、ドラム近傍にワイヤロープのガイドローラを設けることができるため、ガイドローラによりワイヤロープの巻き取りを安定させることができる。さらに、ドラムに対するガイドローラの位置によってワイヤロープの緊張をより確実にすることができるなど、実用上極めて有益な効果を有するものである。
【図面の簡単な説明】
【００１３】
【図１】（ａ）は本発明に係るワイヤロープ緊張装置の一実施例を示す平面図、（ｂ）は（ａ）の側面図である。（実施例１）
【図２】本発明に係るワイヤロープ緊張装置のドラムにワイヤロープ端部を挿通する状態を示す斜視図である。
【図３】本発明に係るワイヤロープ緊張装置でワイヤロープを巻き取る状態を示す側面図である。
【図４】本発明に係るワイヤロープ緊張装置の使用状態の一例を示す側面図である。
【発明を実施するための形態】
【００１４】
本発明に係るワイヤロープ緊張装置は、巻き取り時にドラムに係合させるワイヤロープの端部を本体側面から突出させる構造にしたことにより、上記課題を解決した。
【実施例１】
【００１５】
図１（ａ）（ｂ）は、本発明に係るワイヤロープ緊張装置１の一実施例を示すもので、本体２にワイヤロープＷを巻き取るドラム３と、該ドラム３を回転させる巻取駆動部４と、該ドラム３の逆回転を防止するラチェットギア５及びラチェット爪５１を設けた構造であり、本体２の一側に本体フック６を設けている。本例では、ドラム３に従動ギア３１を設け、これを巻取駆動部４に設けた駆動ギア４１に噛合させてワイヤロープＷの巻き取りを軽くしている。また、本体２の他側にはワイヤロープＷのガイドローラ７を設けている。
【００１６】
本発明に係るワイヤロープ緊張装置１は、ワイヤロープＷを緊張するに際し、図２に示すようにワイヤロープ端部ＷＥをドラム３の周面からその回転軸端部の開口部３３に通し、本体２の側面から突き出すことを特徴としている。このため、ドラム３の周面を６本の棒材より成る周面構成部材３２で構成し、これらの隙間からワイヤロープ端部ＷＥを挿通させるようにしている。
【００１７】
このようにして、ワイヤロープＷを本体２に装着してドラム３を回転させると、ドラム３に挿通した部分がドラム３の棒材３２に引っ掛かって巻き取ることができる。ワイヤロープＷを巻き取る状態は、図３に示すようにワイヤロープ端部ＷＥが本体２の側面から外に出ているため、ガイドローラ７等に干渉することなくスムーズに巻き取って緊張させることができる。また、ドラム３の近傍にガイドローラ７を設けることができるため、ワイヤロープＷを緊張させたときドラム３によるワイヤロープＷの巻き取りが一周に満たない場合でも、ドラム３によるワイヤロープＷの周回比率を高めて外れにくくすることができる。さらに、ワイヤロープＷの張力がドラム３に直接影響することを避けることができる。
【００１８】
図４に示すように支柱Ｐ間にワイヤロープＷを緊張させる場合、先ず本体フック６を一方の支柱Ｐに係止する。次に、他方の支柱Ｐに固定したワイヤロープＷの自由端ＷＥを、ドラム３の周面を形成する周面構成部材３２の隙間から回転軸の開口部３３に通して本体２の側面から突き出す。この段階で、ワイヤロープ端部ＷＥを手で引っ張ってある程度張った状態にする。そして、図に示すようにラチェットレンチＲで巻取駆動部４を回転させて確実に緊張させる。
【００１９】
緊張したワイヤロープＷを緊張装置１から外すには、ラチェットギア５からラチェット爪５１を外してドラム３の回転を自由にする。ワイヤロープＷを引っ張ってドラム３から外す場合でも、ワイヤロープ端部ＷＥが本体２の側方にあるため、スムーズに巻き戻すことができ、作業性が極めて高くなる。
【符号の説明】
【００２０】
１  ワイヤロープ緊張装置
２  本体
３  ドラム
３１  従動ギア
３２  周面構成部材
３３  開口部
４  巻取駆動部
４１  駆動ギア
５  ラチェットギア
５１  ラチェット爪
６  本体フック
７  ガイドローラ
Ｗ  ワイヤロープ
ＷＥ  ワイヤロープ端部
Ｐ  支柱
Ｒ  ラチェットレンチ
【図１】
2011080513.tif 000003
【図２】
2011080513.tif 000004
【図３】
2011080513.tif 000005
【図４】
2011080513.tif 000006